(57)【要約】【課題】特定目的の入浴方法を極めて簡単に実行可能な給湯機器の指示入力装置を提供する。【解決手段】特定の入浴メニュー（５０）の実行を表す情報（１５ａ）が表示された表示部位の鉛直方向に設定された指示入力エリア（２１）への指示入力を検出した際に、ガイドプログラムを起動し、その入浴メニュー（５０）に沿って、複数の入浴ガイド情報（５４）を逐次表示パネル（４）に表示するとともに、入浴メニュー（５０）に従った給湯時間及び給湯温度で給湯機器を制御する。これにより、入浴ガイド情報（５４）に従って入浴するだけで、特定の入浴目的の入浴が実行できる。【選択図】図７
2005308245.tif 000002
【特許請求の範囲】
【請求項１】
任意の情報（１５）を表示可能な表示パネル（４）と、
表示パネル（４）に表示される任意の情報（１５）を目視しながら、表示パネル（４）に平行に配置される操作エリア（２０）の一部に設定された指示入力エリア（２１）への指示入力を可能とし、指示入力エリア（２１）への指示入力を検出した際に、指示入力エリア（２１）に関連づけられた制御データを出力する操作パネル（２５）と、
表示パネル（４）と操作パネル（２５）を密封状態で収納するケース（２）と、
特定の入浴メニュー（５０）に沿って、表示パネル（４）への表示と、浴室内の給湯機器への給湯及び給湯温度をシーケンス制御するガイドプログラムを少なくとも記憶する記憶部（３５）とを備え、
特定の入浴メニュー（５０）の実行を表す情報（１５ａ）が表示された表示部位の鉛直方向に設定された指示入力エリア（２１）への指示入力を検出した際に、ガイドプログラムを起動し、その入浴メニュー（５０）に沿って、複数の入浴ガイド情報（５４）を逐次表示パネル（４）に表示するとともに、入浴メニュー（５０）に従った給湯時間及び給湯温度で給湯機器を制御することを特徴とする給湯機器の指示入力装置。
【請求項２】
表示パネル（４）は、操作エリア（２０）に設定された複数の指示入力エリア（２１）の鉛直方向に、それぞれ、複数の入浴目的に応じた異なる入浴メニュー（５０）を表す情報（５０）を表示するとともに、記憶部（３５）は、異なる各入浴メニュー（５０）について、それぞれ、表示パネル（４）への表示と、浴室内の給湯機器への給湯及び給湯温度をシーケンス制御するガイドプログラムを記憶すること特徴とする請求項１記載の給湯機器の指示入力装置。
【請求項３】
音声出力を行う音声出力部（３７）をさらに備え、ガイドプログラムは、音声出力部（３７）の音声出力をシーケンス制御し、表示パネル（４）が表示している入浴ガイド情報（５４）を逐次音声で案内することを特徴とする請求項１又は請求項２のいずれか１項に記載の給湯機器の指示入力装置。
【発明の詳細な説明】
【技術分野】
【０００１】
本発明は、指示入力により給湯機器からの給湯や給湯温度を制御する指示入力装置を利用して、ダイエット入浴、肩こり緩和入浴、その他の特定の入浴メニューに沿った入浴を補助する給湯機器の指示入力装置に関する。
【背景技術】
【０００２】
浴槽に給湯する給湯器や浴室に設置されたシャワーなどの給湯機器には、これを操作するための操作スイッチを集中して取り付けた指示入力装置が備えられている。操作者は、指示入力装置のいずれかの操作スイッチを指で押圧操作することにより、給湯機器に対して所定の動作制御を行う。
【０００３】
しかしながら、通常の指示入力装置は、操作スイッチを直接指で押圧して操作する構造であるため、可動部品を使用せざるを得ず、その耐久性に問題があり、また、筐体と可動部品との隙間から水などが侵入することから、浴室内の給湯機器を制御するために浴室内に設置する指示入力装置には適さないという問題があった。
【０００４】
このようなことから、指示入力装置を直接指で触れずに所定の操作を実行することができる非接触式の指示入力装置が知られている（例えば、特許文献１）。
【０００５】
図１１は、この従来の給湯機器の指示入力装置１００を示すもので、透明アクリル板１０１に、制御内容（例えば、給湯を開始する）に対応して指示入力エリア１０６、１０６が設定され、個々の指示入力エリア１０６の内方に、光スイッチユニットＵ１、Ｕ２…が配置されている。
【０００６】
各光スイッチユニットＵは、固有周波数の赤外信号（以下、固有光信号という）を発光する赤外発光素子１０２と、赤外発光素子１０２から発光される固有光信号を受光可能な赤外受光素子１０３とで構成されている。各光スイッチユニットＵから発光される固有光信号は、互いに他の光スイッチユニットＵ１、Ｕ２…から発光される固有光信号と重複しないように、所定の走査周期Ｔで繰り返し赤外発光素子１０２から発光される。
【０００７】
図１１に示すように、同一の光スイッチユニットＵで対となる赤外発光素子１０２と赤外受光素子１０３は、隣り合うようにプリント配線基板１０４の表面上に実装され、これらの光スイッチユニットＵと透明アクリル板１０１の間には、赤外線のみを透過させる赤外フィルタ１０５が配設されている。従って、各組の赤外発光素子１０２から発光される固有光信号は、その上方の赤外フィルタ１０５と透明アクリル板１０１を通過して外方に出力され、又、外来光の内、固有光信号を含む赤外線が、その近傍の透明アクリル板１０１と赤外フィルタ１０５を透過して赤外受光素子１０３に到達する。
【０００８】
赤外受光素子１０３の出力側には、固有周波数の光電変換信号を通過させるバンドパスフィルタを介して、光スイッチユニットＵへの入力操作を判定する図示しないマイコンが備えられている。従って、赤外受光素子１０３が、固有周波数の固有光信号を受光した場合にのみ、その光電変換信号がマイコンへ入力され、これにより、自然光、他のリモコン送信信号などと、赤外発光素子１０２から発光された固有光信号とを識別することができる。
【０００９】
光スイッチユニットＵの近傍に、固有光信号を反射させるような物体が存在しない場合には、赤外発光素子１０２から発光される固有光信号を、同一光スイッチユニットＵの対となる赤外受光素子１０３が受光することはなく、マイコンに、光電変換信号が入力されない。この状態では、マイコンは、光スイッチユニットＵが配置された指示入力エリア１０６に対する指示入力は行われていないものと判定する。
【００１０】
一方、下方に光スイッチユニットＵ１が配置された指示入力エリア１０６へ、例えば、指を近づけて入力操作を行うと、赤外発光素子１０２から発光される固有光信号は、透明アクリル板１０１の上方に接近する指で反射され、再び、透明アクリル板１０１と赤外フィルタ１０５を透過して、同じ光スイッチユニットＵ１の赤外受光素子１０３に入力される。マイコンは、赤外受光素子１０３で光電変換された光電変換信号を、同じ光スイッチユニットＵ１ の赤外発光素子１０２が固有光信号を発光したタイミングと略同時に入力すると、その光スイッチユニットＵ１が配置された指示入力エリア１０６に対する指示入力が行われたものと判定し、例えば給湯を開始する制御信号を給湯機器へ出力する。
【００１１】
このときに、他の光スイッチユニットＵ２の赤外受光素子１０３においても、指で反射された固有光信号を受光することがあるが、その光スイッチユニットＵ２の赤外発光素子１０２が固有光信号を発光するタイミングと異なるタイミングで、光電変換信号がマイコンに入力されるので、その光スイッチユニットＵ２に対する入力操作とは認識しない。
【００１２】
【特許文献１】特開２０００−１００２８７公報
【発明の開示】
【発明が解決しようとする課題】
【００１３】
上述した指示入力装置１００によれば、可動部分がなく、入力操作を検出するスイッチユニットＵを完全に密封したケース１０７内に収容して防水することができるため、これを浴室内に設置することにより、入浴中における浴槽への給湯、おいだき、シャワーへの給湯等の制御が可能となる。
【００１４】
しかしながら、指示入力装置１００をバスルーム内に設置したとしても、給湯、その温度やおいだき、その他の操作を使用者がマイコンに指示するだけであり、ダイエット入浴等の特定の入浴メニューに沿って入浴を行う場合には、そのメニューに従ってその都度所定の指示入力を行う必要があった。
【００１５】
例えば、冷房病、冷え性を解消させるには、３８℃程度のぬるま湯に３０分ほど浸かった後、シャワーで４０℃以上の熱いお湯を３分、冷たい水を１０秒冷感の強い部分にかける入浴法が効果的といわれているが、この入浴法を実行するには、タイマーや時計を浴室内に配置し、浴槽の温度、入浴時間や回数、シャワーの給湯温度等を、時間の経過とともに順序良く指示入力により制御する必要があり、極めて煩わしく、日々継続的に実行することが困難なものであった。
【００１６】
本発明は、このような問題を解決するため、給湯機器からの給湯や給湯温度を制御する指示入力装置を利用して、特定目的の入浴方法を極めて簡単に実行可能な給湯機器の指示入力装置を提供することを目的とする。
【課題を解決するための手段】
【００１７】
請求項１記載の給湯機器の指示入力装置は、任意の情報を表示可能な表示パネルと、表示パネルに表示される任意の情報を目視しながら、表示パネルに平行に配置される操作エリアの一部に設定された指示入力エリアへの指示入力を可能とし、指示入力エリアへの指示入力を検出した際に、指示入力エリアに関連づけられた制御データを出力する操作パネルと、表示パネルと操作パネルを密封状態で収納するケースと、特定の入浴メニューに沿って、表示パネルへの表示と、浴室内の給湯機器への給湯及び給湯温度をシーケンス制御するガイドプログラムを少なくとも記憶する記憶部とを備え、
特定の入浴メニューの実行を表す情報が表示された表示部位の鉛直方向に設定された指示入力エリアへの指示入力を検出した際に、ガイドプログラムを起動し、その入浴メニューに沿って、複数の入浴ガイド情報を逐次表示パネルに表示するとともに、入浴メニューに従った給湯時間及び給湯温度で給湯機器を制御することを特徴とする。
【００１８】
特定の入浴メニューの実行を表す情報を目指して指示入力を行うと、その入浴メニューに沿って表示パネルと給湯機器をシーケンス制御するガイドプログラムが起動し、入浴メニューに沿って、複数の入浴ガイド情報が逐次表示パネルに表示され、入浴メニューに従った給湯時間及び給湯温度で給湯機器が給湯を実行する。
【００１９】
請求項２記載の給湯機器の指示入力装置は、表示パネルは、操作エリアに設定された複数の指示入力エリアの鉛直方向に、それぞれ、複数の入浴目的に応じた異なる入浴メニューを表す情報を表示するとともに、記憶部は、異なる各入浴メニューについて、それぞれ、表示パネルへの表示と、浴室内の給湯機器への給湯及び給湯温度をシーケンス制御するガイドプログラムを記憶すること特徴とする。
【００２０】
複数の入浴目的に応じた異なる入浴メニューが表示され、それぞれの入浴メニューについてガイドプログラムが記憶されているので、操作者は、複数の入浴メニューから所望の入浴メニューを選択し、その入浴メニューに沿った入浴を簡単に実行することができる。
【００２１】
請求項３記載の給湯機器の指示入力装置は、音声出力を行う音声出力部をさらに備え、ガイドプログラムは、音声出力部の音声出力をシーケンス制御し、表示パネルが表示している入浴ガイド情報を逐次音声で案内することを特徴とする。
【００２２】
入浴ガイド情報が表示パネルに表示されるととともに、音声でも出力され、表示パネルの表示を確認せずに入浴ガイド情報が得られる。
【発明の効果】
【００２３】
請求項１記載の発明によれば、特定の入浴目的に応じた入浴メニューに沿って、入浴ガイド情報が表示されるとともに、給湯機器が給湯制御されるので、入浴ガイド情報に従って入浴するだけで、特定の入浴目的の入浴が実行できる。
【００２４】
請求項２記載の発明によれば、特定の入浴目的に応じた複数の入浴メニューのうちから所望の入浴メニューを、表示パネルの表示を見ながら選択可能で、選択した特定の入浴メニューに沿って、表示パネルに逐次入浴ガイド情報が表示され、給湯機器が給湯制御される。
【００２５】
請求項３記載の発明によれば、入浴メニューが実行されている間、入浴ガイド情報が表示されるとともに、音声でもその内容が出力されるので、入浴中にその都度表示パネルの表示を確認することなく、入浴メニューの案内に従った入浴を行うことができる。
【発明を実施するための最良の形態】
【００２６】
以下、本発明に係る給湯機器の指示入力装置１の一実施の形態を、図１乃至図１０を用いて説明する。図１は給湯機器の指示入力装置１の斜視図であり、図示しない浴槽内からも操作できる浴室の壁面に沿って取り付けられる。
【００２７】
給湯機器の指示入力装置１は、矩形の透明アクリル板３で表面が保護された内方（図２において下方）に、外方から液晶表示パネル４、拡散シート５、導光板６、反射シート７及び遮光板８が互いの対向面を貼り付けて積層配置されるとともに、その更に内方に赤外発光素子９と赤外受光素子１０を実装したプリント配線基板１１が配置され、これらの全体が合成樹脂製の絶縁ケース２内に収容されている。
【００２８】
プリント配線基板１１の端部の複数箇所には、赤色、緑色及び青色をそれぞれ発光する３個の発光ダイオードが樹脂モールドで一体化された３色発光ダイオード１２が、発光面を導光板６の端面と対向させ実装されている。３色発光ダイオード１２は、導光板６に向けて液晶表示パネル４のバックライト光を発光させるバックライト光源となるもので、図３に示すＬＥＤドライバ１８によって、所望の色調のバックライト光を発光する。
【００２９】
絶縁ケース２は、外方に開口する枡形に形成され、枡形の上方に突き出た固定枠の段差に、透明アクリル板３の周囲の段部を係合させることにより、透明アクリル板３とその周囲の絶縁ケース２の表面が同一平面上に整列する。また、ここでは、絶縁ケース２と透明アクリル板３間を防水性接着剤により密封した状態で接着し、絶縁ケース２内に水滴、埃等が侵入しないようにしている。
【００３０】
液晶表示パネル４は、液晶ドライバ３４により、給湯器に対する制御データを表す指示入力情報１５ａや、給湯器の動作状態や操作のための種々の案内を示す指示入力情報１５ｂを、透明アクリル板３を通して任意の位置に表示（図５参照）自在としている。
【００３１】
導光板６は、その表面（液晶表示パネル４との対向面）に貼り付けられた拡散シート５と、背面側に貼り付けられた白色の反射シート７とに挟まれ、３色発光ダイオード１２から発光されるバックライト光を、内部で散乱させながら液晶表示パネル４の背面側に導光している。本実施の形態では、図１に示すように、透明アクリル板３の表面が操作エリア２０となり、その操作エリア２０に破線で表示する複数の指示入力エリア２１が設定され、導光板６は、遮光板８から立設されたしきい板１６で指示入力エリア２１毎に仕切られている。前述した３色発光ダイオード１２は、しきい板１６で仕切られた指示入力エリア２１毎に導光板６の端面に対向して配設され、これにより指示入力エリア２１毎に異なるバックライト光が導光されるようになっている。
【００３２】
表面に貼り付けられた拡散シート５は、導光板６から外方に発光される光を拡散して、３色発光ダイオード１２や赤外発光素子９の光源が、透明アクリル板３の外方から直接目視できないようするものであり、あたかも液晶表示パネル４による表示の背景全体がバックライト光でむらなく照光されたように見える。
【００３３】
反射シート７は、上述のように表面に白色の塗料を塗布することにより、導光板６との対向面を白色としているので、バックライト光の色彩が変化することによって、液晶表示パネル４による表示の背景も、その色彩より変化したように目視される。反射シート７と遮光板８には、赤外発光素子９と赤外受光素子１０の上方にそれぞれ対応して小孔１７が穿設されている。これらの小孔１７は、例えば、内径が１乃至１．５ｍｍ程度の小孔１７であり、また、導光板６の表面側の拡散シート５により光路が散乱されるので、透明アクリル板３の外方からは、目視されない。
【００３４】
プリント配線基板１１は、遮光板８の背面側に沿って取り付けられ、このプリント配線基板１１に各指示入力エリア２１毎に対となる赤外発光素子９と赤外受光素子１０で構成される操作検出ユニットＵが実装されている。操作検出ユニットＵは、ここでは、９種類の指示入力エリア２１Ａ、２１Ｂ、・・２１Ｉに対応して、対となる赤外発光素子９と赤外受光素子１０とからなる操作検出ユニットＵ１、Ｕ２・・Ｕ９が配置されている。これらの操作検出ユニットＵと、指示入力エリア２１が設定された透明アクリル板３及び後述のマイコン３０で、指示入力エリア２１に対する指示入力位置を検出する操作パネル２５が構成される。
【００３５】
発光手段となる赤外発光素子９は、赤外発光ダイオードで構成され、小孔１７を通して外方へ固有光信号である赤外光を発光する。また、受光手段となる赤外受光素子１０は、受光面が赤外フィルター（図示せず）で覆われたフォトダイオードで構成され、小孔１７を通過して到達する固有光信号を受光するようになっている。
【００３６】
図３に示すように、赤外発光素子は、例えば、４５５ｋＨｚの固有周波数でＬＥＤドライバ３１により駆動制御されるもので、ＬＥＤドライバ３１から駆動制御データが出力されている間、赤外発光素子から４５５ｋＨｚの赤外信号である固有光信号が発光される。ＬＥＤドライバ３１の入力側には、マイコン３０の制御出力端子が接続され、マイコン３０によって、各操作検出ユニットＵのＬＥＤドライバ３１の駆動制御データが、互いに重複しない周期Ｔで出力制御され、各操作検出ユニットＵから発光される固有光信号は、図４に示すタイミングでそれぞれの赤外発光素子９から発光される。
【００３７】
赤外受光素子１０の出力側には、バンドパスフィルタ３２が接続されている。バンドパスフィルタ３２は、赤外受光素子１０で光電変換された４５５ｋＨｚの固有周波数の光電変換信号を波形整形回路３３へ出力するものであり、従って、赤外受光素子１０が、固有光信号を受光した場合にのみ、その光電変換信号を波形整形回路３３を介してマイコン３０へ出力することとなる。これにより、自然光、他のリモコン送信信号などと、対となる赤外発光素子９が発光した固有光信号とを、識別することができる。
【００３８】
マイコン３０には、「電源」「給湯」「給湯温度設定」「入浴メニューの選択」等の給湯機器及び液晶表示パネル４に対する各種制御データや、後述する各入浴メニューに沿ってシーケンス制御するガイドプログラムを起動させる制御データ、液晶表示パネル４に表示される入浴ガイド情報５４等の表示データ等が記憶されたＲＯＭ３５と、ＲＯＭ３５から読み出したガイドプログラム、マイコン３０に入力されたデータなどを一時記憶するＲＡＭ３６とが接続されている。この内、制御データとガイドプログラムは、液晶表示パネル４に表示される各画面毎に、各指示入力エリア２１にそれぞれ関連づけて記憶されている。
【００３９】
例えば、図５に示す初期メニュー画面では、「入浴メニュー」１５ｃが表示された指示入力エリア２１Ｃに「液晶表示パネル４の表示を図５の初期メニュー画面から図６の入浴メニュー選択画面へ切り換える」の制御データが関連づけられて記憶されている。
【００４０】
また、図６の入浴メニュー選択画面では、「ダイエット入浴」、「冷え性緩和入浴」、「肩こり緩和入浴」等の特定の入浴メニュー５０ａ、５０ｂ、５０ｃ、５０ｄ、５０ｅに沿ってそれぞれ給湯機器、液晶表示パネル４、及びスピーカ３７をシーケンス制御するガイドプログラムが指示入力エリア２１Ａ、２１Ｂ、２１Ｃ、２１Ｄ、２１Ｅに関連づけられてＲＯＭ３５に記憶されている。
【００４１】
マイコン３０は、いずれかの操作検出ユニットＵから対となる赤外受光素子１０の発光タイミングで光電変換信号が入力された場合に、その操作検出ユニットＵが配置された指示入力エリア２１への指示入力位置があったものとして、当該指示入力エリア２１に関連づけられた制御データをその制御データで制御される給湯機器若しくは液晶表示パネル４へ出力し、若しくはガイドプログラムを起動する。
【００４２】
マイコン３０には、音声出力部としてのスピーカ３７が接続されており、ＲＯＭ３５に記憶されている音声情報に基づいてスピーカ３７に音声出力させる。本実施の形態においては、ガイドプログラムに従って、マイコン３０は特定の入浴メニューの内容や特定の入浴メニューに沿って液晶表示パネル４に表示される入浴ガイド情報５３、５４，５５の内容を、音声ガイド情報としてスピーカ３７から音声出力する。
【００４３】
液晶表示パネル４は、マイコン３０に接続された液晶ドライバ３４により表示制御されるもので、図５乃至び図７及び図９、図１０に示すように、給湯器の動作や指示入力のための種々の案内の指示入力情報１５、特定の入浴メニューやその入浴メニューに関連づけられた入浴ガイド情報５４、５５をＲＯＭ３５に記憶されたガイドプログラムに従って表示する。液晶表示パネル４の表示領域は、透明アクリル板３を通して上方（外方）から視認できるので、操作者は、指示入力情報１５に指などを接近させて指示入力を行うことにより、指示入力情報１５が表す制御データを出力させることができる。
【００４４】
図６に示す入浴メニュー選択画面においては、複数の各入浴メニューの背面側に設定される指示入力エリア２１にそれぞれ各入浴メニュー５０ａ、５０ｂ・・に対応するガイドプログラムを起動する制御データが関連づけられ、希望する入浴メニュー５０ａ、５０ｂ・・の表示部位を目指して指示入力を行うと、対応するガイドプログラムが起動し、選択した入浴メニュー５０に沿ったシーケンス制御が実行される。
【００４５】
以下、このように構成された給湯機器の指示入力装置１の動作を更に詳細に説明する。液晶表示パネル４に、図５に示す初期メニュー画面が表示された状態では、例えば、各指示入力エリア２１Ｂ乃至２１Ｉにそれぞれ種々の制御データが関連づけられ、その下方の液晶表示パネル４の表示領域に、これらの制御データの内容を表す指示入力情報１５ａ、１５ｃが表示されている。また、指示入力エリア２１Ａには、特に制御データが関連づけられていないが、その下方の表示領域に、「台所」及び現在の台所の給湯設定温度を示す「４２℃」の指示入力情報１５ｂが表示されている。
【００４６】
初期メニュー画面において、「入浴メニュー」を表示させるために指示入力エリア２１Ｃの上方に指を接近させると、指示入力エリア２１Ｃに対応して設けられた操作検出ユニットＵ３の赤外発光素子９より、周期Ｔで指示入力エリア２１Ｃの外方に固有光信号が発光されているので、固有光信号は指で反射され、再び、指示入力エリア２１Ｃ内の同じ操作検出ユニットＵ３の赤外受光素子１０に入力される。マイコン３０は、赤外受光素子１０で光電変換された光電変換信号を、同じ操作検出ユニットＵ３の赤外発光素子９が固有光信号を発光したタイミングとほぼ同時に入力するので、その指示入力エリア２１Ｃに対して指示入力が実行されたものと判定して、関連づけられた「入浴メニュー選択画面を表示する」制御データを出力し、液晶表示パネル４は、複数の特定の入浴メニューから希望する入浴メニューを選択させるために、図６に示す入浴メニュー表示画面を表示する。
【００４７】
入浴メニュー選択画面では、「ダイエット」目的の入浴メニュー５０ａ、「冷え性」緩和目的の入浴メニュー５０ｂ、「肩こり」緩和目的の入浴メニュー５０ｃ、「神経症」緩和目的の入浴メニュー５０ｄ、「夏バテ」解消目的の入浴メニュー５０ｅが表示される。また、これらの下側における指示入力エリア２１Ｆには、「戻る」の指示表示５０ｆが表示され、指示入力エリア２１Ｇには、「その他の入浴メニュー」の指示表示５０ｇが表示される。
【００４８】
図６に示す入浴メニュー選択画面を表示している状態において、指を「ダイエット」の表示部分に近づけると、液晶表示パネル４は、図７の「入浴メニュー説明画面」を表示し、ダイエット入浴の概略を説明する表示５３が液晶表示パネル４に表示される。操作者は、この概略表示５３を読むことにより、ダイエット入浴の意義を知ることができる。また、同時に、マイコン３０はその内容をスピーカ３７から音声ガイドとして出力するので、操作者は、聴覚によってもその内容を知ることができる。
【００４９】
同時に、「入浴メニュー説明画面」には、図７に示すように、指示入力エリア２１Ｇの背面側に、指示入力エリア２１Ｇに「ダイエット」目的の入浴メニュー５０ａの実行を表す「スタート」の指示入力情報１５ａが表示され、「スタート」の表示を目指して指示入力を行うと、マイコン３０はＲＯＭ３５から「ダイエット」入浴についてのガイドガイドプログラムが読み出されて起動する。
【００５０】
尚、「入浴メニュー説明画面」で、指示入力エリア２１Ｆの背面側に「メニュー」の表示を行っており、この表示に指を近づけて指示入力を行うと、図６に示す「入浴メニュー表示画面」の表示に戻る。
【００５１】
図８は、「ダイエット入浴」についてＲＯＭ３５に記憶されたガイドプログラムのフローチャートを示す。「ダイエット」入浴についてのガイドプログラムが起動すると、始めに浴槽内に給湯する給湯器が給湯制御され、浴槽が入浴に適する量のお湯で満たされるまで自動的に給湯が行われる。このときの給湯温度は、後の入浴時に３８℃から４０℃となるように、これらの温度よりやや高めの温度で給湯される（Ｓ１）。
【００５２】
浴槽への給湯が完了すると、マイコン３０はスピーカ３７から給湯が完了しダイエット入浴開始を促す音声出力を行う（Ｓ２）。
【００５３】
所定時間経過後、スピーカ３７からかかり湯を開始する旨の音声ガイドを出力するとともに、給湯機器のシャワーがガイドプログラムにより給湯制御され、シャワーからかかり湯に適した３８℃程度の温度のお湯が、１分間出される。同時に、液晶表示パネル４は、かかり湯を浴びる方法についての図９に示す入浴ガイド情報５４を表示する（Ｓ３）。
【００５４】
１分が経過すると、シャワーからの給湯が停止し、プレ入浴を促す音声ガイドがスピーカ３７から発せられ、同時に、案内液晶表示パネル４は、５分間浴槽に浸かるよう指示するプレ入浴の入浴ガイド情報５５（図１０参照）を表示する（Ｓ４）。
【００５５】
５分間が経過すると、プレ入浴終了と浴槽から出て５分間の休憩を促す音声ガイドがスピーカ３７から発せられ、また、その旨の入浴ガイド情報が液晶表示パネル４へ表示される（Ｓ５）。音声ガイドと入浴ガイド情報では、洗髪を行う場合には、この間に行うことが案内される。
【００５６】
「ダイエット入浴」では、この５分間の休憩後に更に、８分間のメイン入浴、５分間の休憩、５分間のフォロー入浴と連続し、２０分間の休憩で完了するが、その開始と終了毎に、スピーカ３７と液晶ドライバ３４がガイドプログラムで制御され、音声ガイドと入浴ガイド情報による案内が操作者へ伝えられる（Ｓ６乃至Ｓ９）。
【００５７】
以上の各ステップにおいて、液晶表示パネル４には、シャワーヘッド等のキャラクターを並行して表示することができ、また、指示入力エリア２１Ｆの下方には、「中止」の表示が表示され、この表示部分に指を接近させることにより、ガイドプログラムの動作は停止し、また、液晶表示パネル４は、図５に示す初期メニュー画面を表示し、マイコン３０は初期メニュー画面を表示しているモードに復帰する。
【００５８】
以上は、特定の入浴目的が「ダイエット入浴」を選択した場合であるが、図６に示す「冷え性」緩和目的の入浴を始めとしたその他の入浴においても、その入浴メニューについてのガイドプログラムが起動し、その入浴メニューの進行に沿って、給湯機器、スピーカ、液晶表示パネル４がシーケンス制御される。
【００５９】
上述の実施の形態では、給湯機器への給湯制御、特定の入浴メニューの内容の表示及び特定の入浴メニューに沿った入浴ガイド情報の表示と並行して、音声ガイドをスピーカ３７が出力しているが、必ずしも音声出力による音声ガイドを行わなくてもよい。
【００６０】
また、非接触で指示入力を行う光学式操作パネルを用いたが、操作パネルに直接接触して指示入力を行うものであってもよく、また、いずれかの指示入力エリアへの指示入力を検出できるものであれば、感圧式タブレットなど他の方式の操作パネルでもよい。この場合に、表示パネルは、指示入力エリア内の指示入力位置の検出が可能で、外方から目視できれば、操作パネルに対して鉛直方向のいずれに積層配置するものであってもよい。
【００６１】
また、上述の実施の形態では、給湯機器が、浴槽へ給湯する給湯器と、シャワーの２種類で、ガイドプログラムでいずれの給湯機器の動作も選択して制御する例で説明したが、いずれか一つの給湯機器のみをシーケンス制御するものであってもよく、更に、追い炊きする機能を有する給湯器を制御し、追い炊きにより、浴槽内のお湯をの温度を入浴メニューの実行中に上昇させるものであってもよい。
【図面の簡単な説明】
【００６２】
【図１】本発明の一実施の形態に係る給湯機器の指示入力装置１の斜視図である。
【図２】給湯機器の指示入力装置１の縦断面図である。
【図３】給湯機器の指示入力装置１の構成を示すブロック図である。
【図４】各操作検出ユニットＵから発光される固有光信号を示すタイミングチャートである。
【図５】初期メニュー画面が表示された給湯機器の指示入力装置１の平面図である。
【図６】入浴メニュー選択画面が表示された給湯機器の指示入力装置１の平面図である。
【図７】入浴メニュー説明画面が表示された給湯機器の指示入力装置１の平面図である。
【図８】「ダイエット入浴」についてのガイドプログラムのフローチャートである。
【図９】かかり湯の入浴ガイド情報５４を表示した状態を示す平面図である。
【図１０】プレ入浴の入浴ガイド情報５５を表示した状態を示す平面図である。
【図１１】従来の指示入力装置１００の断面図である。
【符号の説明】
【００６３】
１      給湯機器の指示入力装置
２      ケース
４      表示パネル（液晶表示パネル）
１５    表示パネルに表示される情報
１５ａ  指示入力情報
２０    操作エリア
２１    指示入力エリア
２５    操作パネル
３５    記憶部（ＲＯＭ）
３７    音声出力部（スピーカ）
５０    入浴メニュー
【図１】
2005308245.tif 000003
【図２】
2005308245.tif 000004
【図３】
2005308245.tif 000005
【図４】
2005308245.tif 000006
【図５】
2005308245.tif 000007
【図６】
2005308245.tif 000008
【図７】
2005308245.tif 000009
【図８】
2005308245.tif 000010
【図９】
2005308245.tif 000011
【図１０】
2005308245.tif 000012
【図１１】
2005308245.tif 000013